(57)【特許請求の範囲】
【請求項１】
間隔をあけて立てられた支柱の間へ水平方向の支持用ロープが上下方向に間隔をあけて複数本架設され、前記支持用ロープに沿って、複数枚の孔明きパネルがその上辺及び下辺を支持用ロープと平行状態に連結して吊られたフェンスにおいて、
前記支柱間に孔明きパネルと、孔明きパネルがない開口部とが配置されており、
前記支柱間の上下方向に複数本架設された支持用ロープのうち、開口部を形成するべき場所の開口上辺と開口下辺の前記支持用ロープに沿って平行に開口用支持ロープが架設され、前記上下の開口用支持ロープ間に、前記開口部の縦辺位置に吊り材が配置され、該吊り材の上下の端部が前記開口用支持ロープと連結されており、
前記吊り材を境にした非開口側には水平方向の子支持用ロープが前記吊り材と支柱の間に架設され、前記子支持用ロープ又は開口用支持ロープに沿って、複数枚の孔明きパネルがその上辺及び下辺を上下に隣接する子支持用ロープ又は開口用支持ロープと平行状態に連結して吊られていることを特徴とする、フェンス。
【請求項２】
間隔をあけて立てられた支柱の間へ水平方向の支持用ロープが上下方向に間隔をあけて複数本架設され、前記支持用ロープに沿って、複数枚の孔明きパネルがその上辺及び下辺を支持用ロープと平行状態に連結して吊られたフェンスにおいて、
前記支柱間に孔明きパネルと、孔明きパネルがない開口部とが配置されており、
前記支柱間の上下方向に複数本架設された支持用ロープのうち、開口部を形成するべき場所の開口上辺の前記支持用ロープに沿って平行に開口用支持ロープが架設され、同開口部の縦辺位置に吊り材が配置され、該吊り材の上端部は前記開口用支持ロープに連結され、同吊り材の下端部は地面に固定されたベースプレートと連結されており、
前記吊り材を境にした非開口側には水平方向の子支持用ロープが前記吊り材と支柱の間に架設され、前記子支持用ロープ又は開口用支持ロープに沿って、複数枚の孔明きパネルがその上辺及び下辺を上下に隣接する子支持用ロープ又は開口用支持ロープと平行状態に連結して吊られていることを特徴とする、フェンス。
【請求項３】
吊り材は吊り支柱として構成され、同吊り支柱の側面の上下方向に複数のブラケットが取り付けられており、
前記開口用支持ロープの一端部は前記吊り支柱のブラケットへ自在状態に連結され、他端は支柱へ連結部材により自在状態に連結されており、
前記子支持用ロープの一端は前記吊り支柱のブラケットへ連結され、他端が支柱と連結部材により自在状態に連結されていることを特徴とする、請求項１又は２に記載したフェンス。
【請求項４】
吊り材は、両端部を輪状に加工された複数本のワイヤーロープの該輪状端部をシャックルで連結した吊りワイヤーロープで構成されており、
前記開口用支持ロープの一端部は前記吊りワイヤーロープのシャックルへ自在状態に連結され、他端は支柱へ連結部材により自在状態に連結されており、
前記子支持用ロープの一端は前記吊りワイヤーロープのシャックルへ連結され、他端が支柱と連結部材により自在状態に連結されていることを特徴とする、請求項１又は２に記載したフェンス。
【請求項５】
開口部の両端の縦辺が吊り支柱又は吊りワイヤーロープで構成され、開口用支持ロープの両端は両側の吊り支柱のブラケット又は吊りワイヤーロープのシャックルへそれぞれ連結されていることを特徴とする、請求項１〜４のいずれか一に記載したフェンス。
【請求項６】
開口用支持ロープと支持用ロープとの間には、上下方向に一定の間隔が設けられていることを特徴とする、請求項１〜５のいずれか一に記載したフェンス。
【請求項７】
開口用支持ロープ又は子支持用ロープへ連結して吊られる孔明きパネルは、支持用ロープへ連結して吊られる孔明きパネルよりも小さい形状で構成されていることを特徴とする、請求項１〜６のいずれか一に記載したフェンス。
【発明の詳細な説明】
【技術分野】
【０００１】
この発明は、防風、防雪、防塵、防海水飛沫、投物防止、防球、落下物防止等々を目的として構築されるフェンスの技術分野に属し、更に云えば、フェンスを貫通するベルトコンベア、電線、水道管、或いはダクト等の施設物を設置するための施設用開口、或いは人や各種車輌等が出入りするための通行用開口を必要な場所へ必要な大きさ、形状で形成した構成のフェンスに関する。
【背景技術】
【０００２】
従来、防風、防雪、防塵、防海水飛沫、投物防止、防球、落下物防止等々を目的としたフェンスには各種各様の構造、形式が知られ、実施されている。
例えば下記の特許文献１〜４に開示されたフェンスは、間隔をあけて立てられた支柱の間へ合成樹脂製のネットを例えばワイヤーロープ等で張設した構成であり、例えば貯炭場などの周辺に設置して粉塵が周辺地域へ飛散することを防止する目的として、又は海岸地帯に設置して飛砂を抑制する目的として使用される。しかし、前記貯炭場などでは、例えばベルトコンベアや配管、ダクト等の施設物をフェンス越しに設置しなければならない場合がある。この場合、現場において、前記合成樹脂製のネットをハサミ等で施設物を貫通させる大きさに切断したり、更に前記合成樹脂ネットを支持するワイヤーロープをペンチ等で切断して開口部を形成することが行われていた。
【先行技術文献】
【特許文献】
【０００３】
【特許文献１】実公昭５３−１０７６３号公報
【特許文献２】実公昭６３−１９３６２号公報
【特許文献３】実開平５−３０２１４号公報
【特許文献４】実公平２−６７１５号公報
【特許文献５】特開２００８−２８５９１９号公報
【発明の概要】
【発明が解決しようとする課題】
【０００４】
上記特許文献１〜４の開示されたフェンスは、合成樹脂ネットにハサミ等で切断して形成した開口部へベルトコンベアや配管、ダクト等の施設物を貫通させて設置することができる。しかし、風荷重や物体の衝突力等による大きな負荷を繰り返して受けると、前記開口部はネットを形成するワイヤーロープの破断箇所に等しく、ワイヤーロープ相互間の張力のバランスが破壊されたことに等しく、開口部を傷口として開口がどんどん広がって大きくなり、十分な防風効果が得られなくなるし、ネットの効用も失われる。しかも、ハサミやペンチ等による雑な切り口は、見た目の美観を損なうものとなる。更に、非常に高いフェンス（例えば２５ｍ程度）の中間位置まで登り、現場で切断する作業は、非常に手間が掛かるし、何より作業員の安全性の問題も生じる。
【０００５】
ところで、本出願人は、風荷重や物体の衝突力等による大きな負荷を繰り返して受けても局所的な破損のおそれがなく、耐久性に優れ、長期にわたり健全に安定状態で使用できるフェンスを開発し、既に特許出願を行なった（上記特許文献５を参照）。
具体的には、間隔をあけて立てられた支柱の間へ水平方向の支持用ロープが、上下方向に間隔をあけて複数本架設され、前記支持用ロープに沿って、四角形状をなす複数枚の孔明きパネルがその上辺及び下辺を上下に隣接する支持用ロープと平行状態に連結して吊られ、且つ水平方向に隣接する孔明きパネルの隣接する端部同士の縦辺はラップする配置とされた構成である。また、前記孔明きパネルの上辺の両端部及び下辺の両端部と支持用ロープとが、平行状態を保つ吊り構造で連結されている。即ち、風荷重や物品の衝突等による繰り返し負荷により特に応力が集中して破損しやすい、前記孔明きパネルの上辺の両端部及び下辺の両端部と支持用ロープとを平行状態に保つ吊り構造で連結したので、前記孔明きパネルの上辺の両端部及び下辺の両端部に作用する応力集中を防止でき、もって孔明きパネルの端部の強度及び耐久性を高めることができ、長期にわたり優れた耐用寿命を発揮して健全に使用できる。
【０００６】
本発明の目的は、上記特許文献５に開示されたフェンスにおいて、同フェンスを貫通するベルトコンベアや配管、ダクト等の施設物を設置する開口、或いは人や各種車輌等が出入りするための通行用開口を必要な場所へ必要な大きさ、形状で形成することができ、しかも、風荷重や物体の衝突力等による大きな負荷を繰り返しても局所的な破損のおそれがなく、耐久性に優れ、長期にわたり健全に安定状態で使用でき、更に美観に優れたフェンスを提供する。
【課題を解決するための手段】
【０００７】
上記従来技術の課題を解決するための手段として、請求項１に記載した発明に係るフェンスは、
間隔をあけて立てられた支柱の間へ水平方向の支持用ロープが上下方向に間隔をあけて複数本架設され、前記支持用ロープに沿って、複数枚の孔明きパネルがその上辺及び下辺を支持用ロープと平行状態に連結して吊られたフェンスにおいて、
前記支柱間に孔明きパネルと、孔明きパネルがない開口部とが配置されており、
前記支柱間の上下方向に複数本架設された支持用ロープのうち、開口部を形成するべき場所の開口上辺と開口下辺の前記支持用ロープに沿って平行に開口用支持ロープが架設され、前記上下の開口用支持ロープ間に、前記開口部の縦辺位置に吊り材が配置され、該吊り材の上下の端部が前記開口用支持ロープと連結されており、
前記吊り材を境にした非開口側には水平方向の子支持用ロープが前記吊り材と支柱の間に架設され、前記子支持用ロープ又は開口用支持ロープに沿って、複数枚の孔明きパネルがその上辺及び下辺を上下に隣接する子支持用ロープ又は開口用支持ロープと平行状態に連結して吊られていることを特徴とする。
【０００８】
請求項２に記載した発明に係るフェンスは、
間隔をあけて立てられた支柱の間へ水平方向の支持用ロープが上下方向に間隔をあけて複数本架設され、前記支持用ロープに沿って、複数枚の孔明きパネルがその上辺及び下辺を支持用ロープと平行状態に連結して吊られたフェンスにおいて、
前記支柱間に孔明きパネルと、孔明きパネルがない開口部とが配置されており、
前記支柱間の上下方向に複数本架設された支持用ロープのうち、開口部を形成するべき場所の開口上辺の前記支持用ロープに沿って平行に開口用支持ロープが架設され、同開口部の縦辺位置に吊り材が配置され、該吊り材の上端部は前記開口用支持ロープに連結され、同吊り材の下端部は地面に固定されたベースプレートと連結されており、
前記吊り材を境にした非開口側には水平方向の子支持用ロープが前記吊り材と支柱の間に架設され、前記子支持用ロープ又は開口用支持ロープに沿って、複数枚の孔明きパネルがその上辺及び下辺を上下に隣接する子支持用ロープ又は開口用支持ロープと平行状態に連結して吊られていることを特徴とする。
【０００９】
請求項３に記載した発明は、請求項１又は２に記載したフェンスにおいて、
吊り材は吊り支柱として構成され、同吊り支柱の側面の上下方向に複数のブラケットが取り付けられており、
前記開口用支持ロープの一端部は吊り支柱のブラケットへ連結され、他端が支柱へ連結部材により自在状態に連結されており、
前記子支持用ロープの一端は吊り支柱のブラケットへ連結され、他端が支柱へ連結部材により自在状態に連結されていることを特徴とする。
【００１０】
請求項４に記載した発明は、請求項１又は２に記載したフェンスにおいて、
吊り材は両端部を輪状に加工された複数本のワイヤーロープの該輪状端部をシャックルで連結した吊りワイヤーロープで構成されており、
前記開口用支持ロープの一端部は吊りワイヤーロープのシャックルへ連結され、他端が支柱へ連結部材により自在状態に連結されており、
前記子支持用ロープの一端は吊りワイヤーロープのシャックルへ連結され、他端が支柱へ連結部材により自在状態に連結されていることを特徴とする。
【００１１】
請求項５に記載した発明は、請求項１〜４のいずれか一に記載したフェンスにおいて、
開口部の両端が吊り支柱又は吊りワイヤーロープで構成されている場合には、開口用支持ロープの両端は両側の吊り支柱のブラケット又は吊りワイヤーロープのシャックルへそれぞれ連結されていることを特徴とする。
【００１２】
請求項６に記載した発明は、請求項１〜５のいずれか一に記載したフェンスにおいて、
開口用支持ロープと支持用ロープとの間には、上下方向に一定の間隔が設けられていることを特徴とする。
【００１３】
請求項７に記載した発明は、請求項１〜６のいずれか一に記載したフェンスにおいて、
開口用支持ロープ又は子支持用ロープへ連結して吊られる孔明きパネルは、支持用ロープへ連結して吊られる孔明きパネルよりも小さい形状で構成されていることを特徴とする。
【発明の効果】
【００１４】
本発明に係るフェンスは、上記特許文献５に開示されたフェンスにおいて、施設用又は通行用の開口部１０を形成するべき場所の開口上辺と開口下辺の支持用ロープ３ａ、３ｂ、又は開口上辺の支持用ロープ３ａに沿って開口用支持ロープ５０、５１を架設し、開口部１０の縦辺位置に吊り材７（８）を配置し、該吊り材７（８）の両端部を開口用支持ロープ５０、５１と連結させた構成なので、前記吊り材７（８）を境にしてベルトコンベアや配管、ダクト等の施設物を貫通させる開口、或いは人や各種車輌等が出入りするための開口を必要な場所へ必要な大きさ、形状で形成することができる。その上で、風荷重や物体の衝突力等による大きな負荷を繰り返しても、支持用ロープ３、開口用支持ロープ５０、５１或いは子支持用ロープ６、６０〜６２の張力のバランスが保たれ、ひいては孔明きパネル４、４０の支持状態が長期にわたり安定しており、局所的な破損のおそれがなく、耐久性に優れ、長期にわたり健全に安定状態で使用でき、更に見た目の美観にも優れている。
【図面の簡単な説明】
【００１５】
【図１】本発明に係るフェンスの実施例１を示す全体図である。
【図２】図１のＩＩ部拡大図である。
【図３】図２のＩＩＩ部拡大図である。
【図４】図２のＩＶ部拡大図である。
【図５】本発明に係るフェンスの実施例２を示す要部拡大図である。
【図６】本発明に係るフェンスの実施例３を示す全体図である。
【図７】図６のＶＩＩ部拡大図である。
【図８】図７のＶＩＩＩ部拡大図である。
【図９】図７のＩＸ部拡大図である。
【図１０】図７のＸ部拡大図である。
【図１１】本発明に係るフェンスの実施例４を示す要部拡大図である。
【図１２】図１１のＸＩＩ部拡大図である。
【発明を実施するための形態】
【００１６】
本発明に係るフェンスは、支柱２、２間に孔明きパネル４０と、孔明きパネル４０がない開口部１０とが配置されている。支柱２、２間の上下方向に複数本架設された支持用ロープ３…のうち、開口部１０を形成するべき場所の開口上辺と開口下辺の前記支持用ロープ３ａ、３ｂに沿って平行に開口用支持ロープ５０、５１が架設され、前記上下の開口用支持ロープ５０と５１の間に、前記開口部１０の縦辺位置に吊り材７（８）が配置され、該吊り材７（８）の上下の端部が前記開口用支持ロープ５０、５１と連結されている。吊り材７（８）を境にした非開口側には水平方向の子支持用ロープ（６０〜６２）が前記吊り材７（８）と支柱２、２の間に架設され、前記子支持用ロープ（６０〜６２）又は開口用支持ロープ５０、５１に沿って、複数枚の孔明きパネル４０…がその上辺及び下辺を上下に隣接する子支持用ロープ（６０〜６２）又は開口用支持ロープ５０、５１と平行状態に連結して吊られている。
【実施例１】
【００１７】
以下に、本発明に係るフェンスを図示した実施例に基づいて説明する。
図１〜４に示す本実施例のフェンス１Ａの全体の構成は、上記特許文献５に開示されたフェンスと同じであり、段落番号［０００５］で説明した通りである。
先ず、実施例１のフェンス１Ａは、図１に全体図を示すように、支柱２、２間に架設された支持用ロープ３に沿って、四角形状をなす４枚の孔明きパネル４…がその上辺及び下辺を前記支持用ロープ３と平行状態に連結して吊られ、且つ横並びの隣接する端部同士がラップする配置とされて上下方向に１８段設置されており、地上高さが約２５ｍ、左右の支柱の外法寸法が約１３ｍに構成されている。そして、最上段から数えて５段目から８段目には、ベルトコンベアや配管、ダクト等の施設物を貫通させて設置するための開口部１０が形成されて、支柱２、２間に孔明きパネル４０と、孔明きパネル４０がない開口部１０とが横並びに配置されている。なお、図１に示すフェンスの孔明きパネルの孔は、縮尺により作図が不可能なため記載を省略し、その具体的な形状を図２〜４の拡大図に示す。
【００１８】
図２に上記開口部１０を拡大して示すように、前記支柱２、２間の上下方向に複数本架設された支持用ロープ３のうち、開口部１０を形成するべき場所（最上段から数えて５段目〜８段目）の開口上辺と開口下辺の支持用ロープ３ａ、３ｂに沿って平行に開口用支持ロープ５０、５１が、前記支持用ロープ３ａ、３ｂと上下方向に１００〜３００ｍｍ程度の間隔Ｓ１、Ｓ２をあけて上下それぞれ２本ずつ架設されている。また、その間隔は上方向の間隔Ｓ１より、下方向の間隔Ｓ２の方が広くなっている。前記開口用支持ロープ５０、５１と上下の支持用ロープ３ａ、３ｂの間に間隔Ｓ１、Ｓ２を設ける理由は、開口用支持ロープ５０に支持される５段目に設置した孔明きパネル４０と、開口下辺の支持用ロープ３ｂに支持される９段目の孔明きパネル４の風荷重による浮き上がりを考慮したためである。つまり、開口部１０がない支持用ロープ３と、開口部１０がある開口用支持ロープ５０、５１とは風荷重による浮き上がり方が異なるため、支持用ロープ３ａ（３ｂ）と開口用支持ロープ５０（５１）が干渉しないように隙間Ｓ１とＳ２を設けている。さらに、支持用ロープ３の上下方向の間隔が異なるのは、開口部１０がない支持用ロープ３と比較して、開口部１０がある開口用支持ロープ５０、５１は孔明きパネル４０が少ない分、浮き上がりが小さいためで、それにより上方向の間隔Ｓ１を小さくし、下方向の間隔Ｓ２を大きくしている。また、合わせて、開口部１０の縦辺位置に設置している吊り支柱の荷重を下部の開口用支持ロープ５１で受けて垂れ下がりが大きくなることを考慮して下方向の間隔Ｓ２を大きくしている。
そして、前記上下の開口用支持ロープ５０、５１の間であって、前記開口部１０の縦辺位置に吊り材として側面の上下方向に複数のブラケット７０…を取り付けた吊り支柱７が配置され、該吊り支柱７の上下両端部が前記上下の開口用支持ロープ５０、５１と連結されている。
【００１９】
上記開口上辺の支持用ロープ３ａに沿って平行に架設される開口用支持ロープ５０は、図３に拡大して示すように、その両端部が輪状に加工されており、該一端５０ａが吊り支柱７の上端部のブラケット７０へピン連結７０ｂされたシャックル７０ａへ自在状態に連結されている。他端５０ｂは、図２に示すように、支柱２へ連結部材２ａにより自在状態に連結されている。
一方、上記開口下辺の支持用ロープ３に沿って平行に架設される開口用支持ロープ５１も、その両端部が輪状に加工されており、該輪状端部５１ａの一端が吊り支柱７の下端部のブラケット７０へピン連結７０ｂされたシャックル７０ａへ自在状態に連結され、他端５１ｂが支柱２へ連結部材２ａにより自在状態に連結されている。
【００２０】
上記吊り支柱７を境にした非開口側には、図１及び２に示すように、水平方向の子支持用ロープ（６０〜６２）が前記吊り支柱５と支柱２の間に３本架設されている。具体的には、前記子支持用ロープ（６０〜６２）は、その両端部が輪状に加工されており、その一端（６０ａ〜６２ａ）が吊り支柱の中間部のブラケット７０へピン連結７０ｂされたシャックル７０ａへ自在状態に連結され、他端が支柱２へ連結部材２ａにより自在状態に連結されている。
【００２１】
上記上位の開口用支持ロープ５０と子支持用ロープ６０に沿って水平方向に２枚の孔明きパネル４０、４０がその上辺及び下辺を上下に隣接する前記上位の開口用支持ロープ５０及び子支持用ロープ６０と平行状態に連結して吊られ、且つ水平方向に隣接する孔明きパネル４０、４０の隣接する縦辺はラップする配置とされている。
また、前記子支持用ロープ６０（６１）と子支持用ロープ６１（６２）に沿って水平方向に２枚の孔明きパネル４０、４０がその上辺及び下辺を上下に隣接する前記子支持用ロープ６０と６１（６１と６２）と平行状態に連結して吊られ、且つ水平方向に隣接する孔明きパネル４０、４０の隣接する縦辺はラップする配置とされている。
更に、前記子支持用ロープ６２と下位の開口用支持ロープ５１に沿って水平方向に２枚の孔明きパネル４０、４０がその上辺及び下辺を上下に隣接する前記子支持用ロープ６２と下位の開口用支持ロープ５１と平行状態に連結して吊られ、且つ水平方向に隣接する孔明きパネル４０、４０の隣接する縦辺はラップする配置とされている。
なお、前記開口用支持ロープ５０、５１及び子支持用ロープ（６０〜６２）に連結して吊られる孔明きパネル４０の大きさは、縦横の寸法が例えば１ｍ×２ｍであり、支持用ロープ３に連結して吊られる孔明きパネル４（一例として縦、横寸法が１．２ｍ×２．８ｍ程度）よりも小さい形状で構成する。
【００２２】
上記孔明きパネル４０の上辺及び下辺を開口用支持ロープ５０、５１と子支持用ロープ（６０〜６２）と平行状態に連結して吊る構成として、前記孔明きパネル４０には、その上辺及び下辺に沿って部分的にパネル吊り用補強板４４…が取り付けられ、該パネル吊り用補強板４４と孔明きパネル４０に共通位置に設けた孔へリング状の連結部材４５をピン連結４５ａし、該連結部材４５で開口用支持ロープ５０（５１）又は子支持用ロープ（６０〜６２）へ緊結して、前記孔明きパネル４０の上辺及び下辺が前記開口用支持ロープ５０（５１）又は子支持用ロープ（６０〜６２）と平行状態に連結されている（詳しくは図７、図９、図１０に示す拡大図を参照）。
なお、図示することは省略したが、上記特許文献５に記載されているように、各孔明きパネル４０の上辺及び下辺に沿って小ピッチに通し孔を設け、該通し孔へ螺旋状ワイヤを一連の状態に通し、支持用ロープと縫うように連結して平行状態に吊る構成で実施することもできる。
【００２３】
上記孔明きパネル４０の吊り支柱７側の上辺端部は、前記開口用支持ロープ５０（５１）又は子支持用ロープ（６０〜６２）の輪状端部と干渉を起こさない角度に切除した角取り形状に形成され、該角取り形状部分は亜鉛鉄板製の補強材４１をリべット接合等により取り付けて補強されている。そして、前記孔明きパネル４０と補強材４１とへ共通に設けた連結用孔へ強化シャックル等の剛性部材４２がピン連結４３され、該剛性部材４２の他側が前記支持用ロープ５０の輪状端部５０ａに緊結されて、前記開口用支持ロープ５０（５１）又は子支持用ロープ（６０〜６２）と平行状態に保つ吊り構造とされている。
また、拡大して示すことは省略したが、上記孔明きパネル４０のラップ部分又はラップ部分の近傍が補強材をリベット接合等により取り付けて補強されており、該孔明きパネル４０と補強材とに共通に連結用孔が設けられ、該連結用孔へ強化シャックル等の剛性部材が止めピンで取り付けられ、該剛性部材の他側を前記開口用支持ロープ５０（５１）又は子支持用ロープ（６０〜６２）へ巻き付けて緊結が行われている。
【００２４】
なお、実施例１のフェンスは、吊り材として吊り支柱７で構成した実施例を示したが、該吊り支柱７に代えて、後述の段落番号［００２６］で説明する吊りワイヤーロープ８で実施することもできる。
【実施例２】
【００２５】
図５に示す実施例２のフェンス１Ｂは、支柱２、２間に架設された支持用ロープ３に沿って同支持用ロープ３と平行状態に４枚の孔明きパネル４…が連結して吊られ、且つ横並びの隣接する端部同士がラップする配置とされて上下方向に１８段設置されたフェンスにおいて、最上段から数えて５段目から６段目にかけて形成した開口部１０の両端が吊り支柱７で構成されていることを特徴としている。なお、図５に示すフェンスの孔明きパネルの孔も、縮尺により作図が不可能なため記載を省略する。
前記開口部１０を形成する場所（最上段から数えて５段目から６段目）に架設される開口用支持ロープ５０、５１の両端が、両側の吊り支柱７の上下端部のブラケット７０へそれぞれ自在状態で連結されている。前記吊り支柱７を境にした左右の非開口側へ水平方向の子支持用ロープ６が前記吊り支柱７と支柱２、２の間に架設され、前記子支持用ロープ６又は開口用支持ロープ５０、５１に沿って、１枚又は２枚の孔明きパネル４０が、その上辺及び下辺を上下に隣接する子支持用ロープ６又は開口用支持ロープ５０、５１と平行状態に連結して吊られている。図４中の左側の非開口部に設置する２枚の孔明きパネル４０、４０の隣接する端部同士はラップする配置とされている。
なお、実施例２のフェンス１Ｂも、吊り材として吊り支柱７で構成した実施例を示したが、前記吊り支柱７に代えて、後述の段落番号［００２６］で説明する吊りワイヤーロープ８で実施することができる。
その他の構成は、上記実施例１で説明したフェンス１Ａと同じなので、詳細な説明は省略する。
【実施例３】
【００２６】
図６〜１０に示す実施例３のフェンス１Ｃは、支柱２、２間に架設された支持用ロープ３に沿って同支持用ロープ３と平行状態に４枚の孔明きパネル４…が連結して吊られ、且つ横並びの隣接する端部同士がラップする配置とされて上下方向に１８段設置されたフェンスにおいて、最下段から数えて１〜３段目に、ベルトコンベアや配管、ダクト等の施設物を貫通させて設置する開口１０、或いは人や各種車輌等が出入りするための通行用の開口１０を形成して、前記支柱２、２間に孔明きパネル４０と、孔明きパネル４０がない開口部１０とが横並びに配置されていることを特徴としている。図６に示すフェンスの孔明きパネルの孔も、縮尺により作図が不可能なため記載を省略し、その具体的な形状を図７〜１０の拡大図に示す。
前記支柱２、２間の上下方向に複数本架設された支持用ロープ３のうち、開口部１０を形成するべき場所（最下段から数えて１〜３段目）の開口上辺の前記支持用ロープ３ａに沿って平行に２本の開口用支持ロープ５、５が架設され、前記開口部１０の縦辺位置に吊り材８が配置されている。実施例３の吊り材８は、図７〜１０に拡大して示すように、両端部を輪状に加工された３本のワイヤーロープ８０の該輪状端部８０ａを、一端をピン連結８１ａしたシャックル８１で一連に連結した吊りワイヤーロープ８で構成されている。前記吊りワイヤーロープ８の下端部８０ａは、地面に固定されたベースプレート９０の上面に固定されたブラケット９１にピン連結９２ａされたシャックル９２と連結されている。
前記開口用支持ロープ５の一端部５ａは、前記吊りワイヤーロープ８の上端部のシャックル８１へ自在状態に連結され、他端は支柱２へ連結部材２ａにより自在状態に連結されている。
【００２７】
前記吊りワイヤーロープ８を境にした非開口側には、水平方向の子支持用ロープ（６０〜６２）が前記吊りワイヤーロープ８と支柱２、２の間に３本架設されている。前記子支持用ロープ（６０〜６２）のうち、上位２本の子支持用ロープ（６０と６１）は、図９に拡大して示すように、その一端６０ａ（６１ａ）が前記吊りワイヤーロープ８の中間に配置されたシャックル８１へ連結され、他端が支柱２と連結部材２ａにより自在状態に連結されている。一方、下位の子支持用ロープ６２の一端部６２ａは、図１０に拡大して示すように、前記ベースプレート９０の上面のブラケット９１にピン連結９３ａされたシャックル９３へ自在状態に連結され、他端は支柱２へ連結部材２ａにより自在状態に連結されている。
【００２８】
前記子支持用ロープ（６０〜６２）又は開口用支持ロープ５に沿って、２枚の孔明きパネル４０、４０がその上辺及び下辺を上下に隣接する子支持用ロープ（６０〜６２）又は開口用支持ロープ５と平行状態に連結して吊られ、且つ水平方向に隣接する孔明きパネル４０の隣接する端部同士はラップする配置とされている。
前記孔明きパネル４０の上辺端部は、亜鉛鉄板製の補強材４１をリべット接合等により取り付けて補強されており、前記孔明きパネル４０と補強材４１とへ共通に設けた連結用孔へＵボルト４６が取り付けられ、該Ｕボルト４６の他側が前記開口用支持ロープ５の輪状端部５ａ、又は子支持用ロープ（６０〜６２）の輪状端部（６０ａ〜６２ａ）へ連結されて、前記開口用支持ロープ５又は子支持用ロープ（６０〜６２）と平行状態に保つ吊り構造とされている。
【００２９】
なお、実施例３のフェンス１Ｃは、吊り材として吊りワイヤーロープ８で構成した実施例を示したが、前記吊りワイヤーロープ８に代えて、上述した吊り支柱７で構成することもできる。吊り材を吊り支柱７で構成する場合には、吊り支柱７の下端部のブラケット７０へ取り付けられたシャックル７０ａを、ベースプレート９０の上面のブラケット９１に取り付けられたシャックル９２へ連結する。
その他の構成は、上記実施例１で説明したフェンスと同じなので、詳細な説明は省略する。
【実施例４】
【００３０】
図１１及び図１２に示す実施例４のフェンス１Ｄは、支柱２、２間に架設された支持用ロープ３に沿って同支持用ロープ３と平行状態に４枚の孔明きパネル４…が連結して吊られ、且つ横並びの隣接する端部同士がラップする配置とされて上下方向に１８段設置されたフェンスにおいて、最下段に形成した開口部１０の両端を吊りワイヤーロープ８、８で構成したことを特徴としている。なお、図１１に示すフェンス１Ｄは、最下段の孔明きパネル４０と地面との間に２ｍ程度の開口部を形成している。また、図１１に示すフェンスの孔明きパネルの孔も、縮尺により作図が不可能なため記載を省略する。
前記支柱２、２間の上下方向に複数本架設された支持用ロープ３のうち、開口部１０を形成するべき場所の開口上辺の前記支持用ロープ３ａに沿って平行に開口用支持ロープ５が架設され、同開口部１０の縦辺位置に、上記実施例３で説明した吊りワイヤーロープ８が２つ配置されている。前記吊りワイヤーロープ８の下端部８０ａは、図１２に拡大して示すように、地面に固定されたベースプレート９０上面の固定部材９４と連結されている。
前記開口用支持ロープ５の一端部５ａは、前記吊りワイヤーロープ８の上端部のシャックル８１へ自在状態に連結され、他端は支柱２へ連結部材２ａにより自在状態に連結されている。
そして、前記吊りワイヤーロープ８を境にした左右の非開口側へ水平方向の子支持用ロープ６が、その一端６ａを前記吊りワイヤーロープ８のシャックル８１へ自在状態に連結され、他端を支柱２の連結部材２ａへ自在状態に連結されて、前記吊りワイヤーロープ８と支柱２、２の間に架設されている。前記子支持用ロープ６及び開口用支持ロープ５に沿って、孔明きパネル４０が、その上辺を開口用支持ロープ５と平行状態に連結して吊られ、下辺を子支持用ロープ６と平行状態に連結して吊られている。
前記孔明きパネルの上辺端部は、亜鉛鉄板製の補強材４１をリべット接合等により取り付けて補強されており、前記孔明きパネル４０と補強材４１とへ共通に設けた連結用孔へＵボルト４６が取り付けられ、該Ｕボルト４６の他側が前記開口用支持ロープ５の輪状端部５ａ、又は子支持用ロープ６の輪状端部６ａに緊結されて、前記開口用支持ロープ５と平行状態に保つ吊り構造とされている（詳しくは、図９を参照）。
なお、実施例４のフェンス１Ｄも、前記吊りワイヤーロープ８に代えて、上述した吊り支柱７で構成することもできる。
その他の構成は、上記実施例１で説明したフェンスと同じ構成なので、詳細な説明は省略する。
【００３１】
以上に本発明を図示した実施例に基づいて説明したが、もとより本発明は、上述した実施の形態や実施例に限定されるものではない。いわゆる当業者が必要に応じて通常行う設計変更や応用の範囲内で様々な実施の形態が可能である。
【符号の説明】
【００３２】
１Ａ〜１Ｄ      フェンス
２              支柱
３、３ａ、３ｂ  支持用ロープ
４、４０        孔明きパネル
５、５０、５１  開口用支持ロープ
６、６０〜６２  子支持用ロープ
７              吊り支柱
８              吊りワイヤーロープ
９０            ベースプレート
１０            開口部
【図１】
0005411045.tif 000002
【図２】
0005411045.tif 000003
【図３】
0005411045.tif 000004
【図４】
0005411045.tif 000005
【図５】
0005411045.tif 000006
【図６】
0005411045.tif 000007
【図７】
0005411045.tif 000008
【図８】
0005411045.tif 000009
【図９】
0005411045.tif 000010
【図１０】
0005411045.tif 000011
【図１１】
0005411045.tif 000012
【図１２】
0005411045.tif 000013